(57)【要約】【課題】帯電したインクミストが、センサーに付着し、センサーによる用紙の有無や用紙の幅を検出する精度が低下してしまうという課題がある。【解決手段】発光素子９１ｃから第１透明部材としての発光部レンズ９１ｂを介して発光する発光部９１と、受光素子９２ｃによって第２透明部材としての受光部レンズ９２ｂを介して受光する受光部９２とを有し、発光部９１から発光された光の反射光を受光部９２によって受光する用紙端部検出部９０と、用紙端部検出部９０を囲むカバー部９３と、を備え、発光部レンズ９１ｂおよび受光部レンズ９２ｂは、帯電列においてミストの極性と同極性であるプラス側の順位にある材料から構成され、カバー部９３は、帯電列においてミストの極性と反対極性であるマイナス側の順位にある材料から構成される液体噴射装置を提供する。【選択図】図８
2014148053.tif 000002
【特許請求の範囲】
【請求項１】
液体を噴射させる液体噴射ヘッドと、
発光素子から第１透明部材を介して発光する発光部と、受光素子によって第２透明部材を介して受光する受光部とを有し、前記発光部から発光された光の反射光を前記受光部によって受光する光学式検出部と、
前記光学式検出部の近傍に設けられ、空気との摩擦により帯電する帯電部材と、を備え、
前記第１透明部材および前記第２透明部材は、帯電列において、前記液体噴射ヘッドから液体を噴射させたときに生じたミストの極性と同極性側の順位にある材料から構成され、
前記帯電部材は、帯電列において、前記ミストの極性と反対極性側の順位にある材料から構成されたことを特徴とする液体噴射装置。
【請求項２】
請求項１に記載の液体噴射装置であって、
前記帯電部材は、前記光学式検出部を囲むカバー部であることを特徴とする液体噴射装置。
【請求項３】
請求項２に記載の液体噴射装置であって、
前記第１透明部材、前記第２透明部材と対向し、前記カバー部に保持された第３透明部材を備え、
前記第３透明部材は、帯電列において前記ミストの極性と同極性側の順位にある材料から構成されたことを特徴とする液体噴射装置。
【請求項４】
液体を噴射させる液体噴射ヘッドと、
発光素子から第１透明部材を介して発光する発光部と、受光素子によって第２透明部材を介して受光する受光部とを有し、前記発光部から発光された光の反射光を前記受光部によって受光する光学式検出部と、
前記光学式検出部を囲むカバー部と、
前記第１透明部材、前記第２透明部材と対向し、前記カバー部に保持された第３透明部材と、を備え、
前記第３透明部材は、帯電列において、前記液体噴射ヘッドから液体を噴射させたときに生じたミストの極性と同極性側の順位にある材料から構成され、前記カバー部は、帯電列において、前記ミストの極性と反対極性側の順位にある材料から構成されたことを特徴とする液体噴射装置。
【請求項５】
請求項３または請求項４に記載の液体噴射装置であって、
前記ミストの極性と反対極性の電位が印加され、前記第３透明部材と摺動する第１摺動部と、
前記ミストと同極性の電位が印加され、前記カバー部と摺動する第２摺動部と、を備えたことを特徴とする液体噴射装置。
【請求項６】
請求項２から請求項５のいずれか一項に記載の液体噴射装置であって、
前記カバー部は導電性を有し、前記カバー部は接地されたことを特徴とする液体噴射装置。
【発明の詳細な説明】
【技術分野】
【０００１】
本発明は、液体噴射装置に関する。
【背景技術】
【０００２】
支持部材に沿って搬送される用紙などの記録媒体に、液体としてのインクを液体噴射ヘッドから噴射して画像を形成する液体噴射装置の一例であるインクジェット式プリンターには、発光素子から照射した光を受光素子によって受光する光学式センサーを用いて、用紙の搬送位置や、用紙の有無や用紙の幅を検出するものがある。
このような光学式センサーに、液体噴射ヘッドからのインク滴の噴射に伴って発生したインクミストが付着すると、検出精度が低下してしまう。
そこで、特許文献１では、用紙の搬送位置を検出するためのロータリースケールと光学式センサーをカバー部材で覆った内部に内蔵し、浮遊するインクミストがカバー部材に付着するものの、ロータリースケールやセンサーユニットには付着しないようにしたインクジェット式プリンターが開示されている。このような光学式センサーは、カバー部材の内部において、発光部から照射されて受光部によって受光される。
【先行技術文献】
【特許文献】
【０００３】
【特許文献１】特開２００７−６２２２９号公報
【発明の概要】
【発明が解決しようとする課題】
【０００４】
しかしながら、特許文献１の方法によって用紙の有無や用紙の幅を検出する場合には、光学式センサーを内蔵したカバー部材の外側で搬送される用紙に向かって照射し、受光するので、カバー部材を透明な部材によって構成しなくてはならない。そのため、光学式センサーを内蔵したカバー部材にインクミストが付着すると、カバー部材を通る光量が低下し、用紙の有無や用紙の幅を検出する精度が低下してしまうという課題がある。
【課題を解決するための手段】
【０００５】
本発明は、上述の課題の少なくとも一部を解決するためになされたものであり、以下の形態または適用例として実現することが可能である。
【０００６】
［適用例１］液体を噴射させる液体噴射ヘッドと、発光素子から第１透明部材を介して発光する発光部と、受光素子によって第２透明部材を介して受光する受光部とを有し、前記発光部から発光された光の反射光を前記受光部によって受光する光学式検出部と、前記光学式検出部の近傍に設けられ、空気との摩擦により帯電する帯電部材と、を備え、前記第１透明部材および前記第２透明部材は、帯電列において、前記液体噴射ヘッドから液体を噴射させたときに生じたミストの極性と同極性側の順位にある材料から構成され、前記帯電部材は、帯電列において、前記ミストの極性と反対極性側の順位にある材料から構成されたことを特徴とする液体噴射装置。
【０００７】
本適用例によれば、第１透明部材および第２透明部材は、帯電列においてミストの極性と同極性側の順位にある材料から構成される。これにより、ミストの極性と同極性に帯電したミストと第１透明部材および第２透明部材との間に斥力が生じるため、ミストが第１透明部材および第２透明部材に付着することが抑制される。また、帯電部材は、帯電列においてミストの極性と反対極性側の順位にある材料から構成される。これにより、前記ミストの極性と同極性に帯電したミストと帯電部材との間に引力が生じるため、ミストが帯電部材側に引き寄せられて、ミストが帯電部材に付着する可能性が高い。そのため、光学式検出部の近傍を浮遊するミストが減少するので、第１透明部材および第２透明部材にミストが付着することを抑制できる。従って、光学式検出部による検出精度が低下することを抑制できる。
【０００８】
［適用例２］前記帯電部材は、前記光学式検出部を囲むカバー部であることを特徴とする上記液体噴射装置。
【０００９】
本適用例によれば、ミストの極性と同極性に帯電したミストとカバー部との間に引力が生じるため、ミストがカバー部側に引き寄せられて、ミストがカバー部に付着する可能性が高い。
【００１０】
［適用例３］前記第１透明部材、前記第２透明部材と対向し、前記カバー部に保持された第３透明部材を備え、前記第３透明部材は、帯電列において前記ミストの極性と同極性側の順位にある材料から構成されたことを特徴とする上記液体噴射装置。
【００１１】
本適用例によれば、第３透明部材は、帯電列においてミストの極性と同極性側の順位にある材料から構成される。これにより、ミストの極性と同極性に帯電したミストと第３透明部材との間に、斥力が生じるため、ミストが第３透明部材に付着することが抑制される。
【００１２】
［適用例４］液体を噴射させる液体噴射ヘッドと、発光素子から第１透明部材を介して発光する発光部と、受光素子によって第２透明部材を介して受光する受光部とを有し、前記発光部から発光された光の反射光を前記受光部によって受光する光学式検出部と、前記光学式検出部を囲むカバー部と、前記第１透明部材、前記第２透明部材と対向し、前記カバー部に保持された第３透明部材と、を備え、前記第３透明部材は、帯電列において、前記液体噴射ヘッドから液体を噴射させたときに生じたミストの極性と同極性側の順位にある材料から構成され、前記カバー部は、帯電列において、前記ミストの極性と反対極性側の順位にある材料から構成されたことを特徴とする液体噴射装置。
【００１３】
本適用例によれば、第３透明部材は、帯電列においてミストの極性と同極性側の順位にある材料から構成される。これにより、ミストの極性と同極性に帯電したミストと第３透明部材との間に、斥力が生じるため、ミストが第３透明部材に付着することが抑制される。また、カバー部は、帯電列におけるミストの極性と反対極性側の順位にある材料から構成される。これにより、ミストの極性と同極性に帯電したミストとカバー部との間に、引力が生じるため、ミストがカバー部に引き寄せられて付着する。そのため、第３透明部材の近傍を浮遊するミストが減少し、ミストが第３透明部材に付着することが抑制される。これにより、発光部から発光された光や反射光の光量が第３透明部材によって低下することが抑制され、光学式検出部による検出精度が低下することを抑制できる。
【００１４】
［適用例５］前記ミストの極性と反対極性の電位が印加され、前記第３透明部材と摺動する第１摺動部と、前記ミストと同極性の電位が印加され、前記カバー部と摺動する第２摺動部と、を備えたことを特徴とする上記液体噴射装置。
【００１５】
本適用例によれば、第１摺動部が第３透明部材と摺動し、第２摺動部がカバー部と摺動することによって、第３透明部材、カバー部に付着したミストを除去する。さらに、第３透明部材は、ミストの極性と同極性により強く帯電し、カバー部は、ミストの極性と反対極性により強く帯電する。これにより、ミストの極性と同極性に帯電したミストと第３透明部材との間の斥力が大きくなるので、第３透明部材にミストが付着することを抑制できる。また、ミストの極性と同極性に帯電したミストとカバー部との間の引力が大きくなるので、カバー部に付着する量が多くなる。そのため、第３透明部材の近傍を浮遊するミストが減少する。
【００１６】
［適用例６］前記カバー部は導電性を有し、前記カバー部は接地されたことを特徴とする上記液体噴射装置。
【００１７】
本適用例によれば、カバー部は電位を持たず、ミストの極性と反対寄りのため、ミストとカバー部の間に常に引力を発生させることができる。
【図面の簡単な説明】
【００１８】
【図１】プリンターの内部構成を説明する図。
【図２】記録ヘッドの要部断面図。
【図３】圧電振動子の構成を説明する断面図。
【図４】プリンターの電気的構成を説明するブロック図。
【図５】噴射駆動パルスの構成を説明する波形図。
【図６】（ａ）は、リニアスケールの部分拡大図、（ｂ）、（ｃ）は、ロータリーエンコーダーの構成を説明する図。
【図７】（ａ）は、プラスに帯電したインクが記録ヘッドから噴射される様子を説明する模式図、（ｂ）、（ｃ）は、ミストにおいて、さらにプラスの帯電が強まる様子を説明する図。
【図８】（ａ）は、用紙端部検出部とカバー部とを示す図、（ｂ）は、用紙端部検出部、カバー部の部分を拡大した図。
【図９】カバー部の斜視図。
【図１０】（ａ）は、実施形態２における、用紙端部検出部、カバー部、透明部材を示す図、（ｂ）は、実施形態３における、用紙端部検出部、カバー部、透明部材を示す図。
【図１１】（ａ）は、実施形態４における、カバー部、透明部材の斜視図、（ｂ）、（ｃ）は、摺動部の斜視図。
【図１２】実施形態４における、用紙端部検出部、カバー部、透明部材、摺動部を示す模式図。
【図１３】実施形態５における、用紙端部検出部、カバー部、透明部材、移動部を示す模式図。
【図１４】実施形態６における用紙端部検出部の近傍に帯電部材を設けたことを示す図。
【図１５】（ａ）は、帯電部材の断面拡大図、（ｂ）は、帯電部材の外観図。
【発明を実施するための形態】
【００１９】
以下、本発明を実施するための形態を、図面を参照して説明する。
（実施形態１）
図１は、液体噴射装置としてのインクジェット式プリンター１（以降は、プリンターという）の内部構成を説明する図であり、（ａ）は斜視図、（ｂ）は側面図である。このプリンター１は、液体噴射ヘッドの一種である記録ヘッド２が取り付けられると共に、液体供給源の一種であるインクカートリッジ３が着脱可能に取り付けられるキャリッジ４と、記録動作時の記録ヘッド２の鉛直方向Ｚ下方に配設されたプラテン５と、キャリッジ４を記録紙６（記録媒体および着弾対象の一種）の紙幅方向、即ち、主走査方向Ｘに往復移動させるキャリッジ移動機構７と、記録紙６がセットされる給紙部１３と、主走査方向Ｘに直交する副走査方向Ｙに記録紙６を搬送する搬送部８と、印刷が終了した記録紙６を排出する排紙部１４と、搬送部８および排紙部１４を駆動する駆動モーター１５と、駆動モーター１５の回転駆動力を搬送部８から排紙部１４に伝達する伝動部１６と、を備えている。
【００２０】
キャリッジ４は、主走査方向Ｘに架設されたガイドロッド９に軸支された状態で取り付けられており、キャリッジ移動機構７の作動により、ガイドロッド９に沿って主走査方向Ｘに移動するように構成されている。
【００２１】
キャリッジ４の移動範囲内における記録領域よりも外側の端部領域には、キャリッジの走査の基点となるホームポジションが設定されている。本実施形態におけるホームポジションには、記録ヘッド２のノズル形成面（ノズルプレート５０：図２参照）を封止するキャッピング部材１１と、ノズル形成面を払拭するためのワイパー部材１２とが配置されている。そして、プリンター１は、このホームポジションから反対側の端部へ向けてキャリッジ４が移動する往動時と、反対側の端部からホームポジション側にキャリッジ４が戻る復動時との双方向で記録紙６上に文字や画像等を記録する所謂双方向記録が可能に構成されている。
【００２２】
プラテン５は、主走査方向Ｘに長尺な板状の部材であり、その表面には長手方向に沿って所定の間隔で複数の支持突起５ａが突設されている。各支持突起５ａは鉛直方向Ｚにおける上方へ突出している。各支持突起５ａの上面は、記録紙６を支える当接面となり、記録紙６の背面（インクが着弾する記録面とは反対側の面）を部分的に支える。また、プラテン５の表面であって、各支持突起５ａから外れた部分には、インク吸収材５ｂが配設されている。このインク吸収材５ｂは、例えばフェルトやスポンジ等で作製された吸液性を有する多孔質部材から成る。
【００２３】
搬送部８は、搬送駆動ローラー２１、搬送従動ローラー２２、シャフト２３、ローター２４、および搬送ローラー駆動ギア２５を有している。シャフト２３は、プリンター１の筐体の上フレーム２７に回転自在に軸支されている。搬送ローラー駆動ギア２５、上フレーム２７、ローター２４、搬送駆動ローラー２１は、図１（ｂ）の手前側から、シャフト２３の軸方向においてこの順に重なる状態で配置されている。搬送駆動ローラー２１、ローター２４、および搬送ローラー駆動ギア２５は、回転軸としてのシャフト２３に接続されている。
【００２４】
ローター２４は、駆動モーター１５による駆動力により回転する。これに伴って、搬送駆動ローラー２１および搬送ローラー駆動ギア２５も一体的に回転する。搬送ローラー駆動ギア２５は、伝動部１６の第１伝動ギア３７と噛み合っている。したがって、搬送ローラー駆動ギア２５が回転することにより、伝動部１６の第１伝動ギア３７に駆動モーター１５の駆動力が伝達される。搬送従動ローラー２２は、筐体に回転自在に軸支され、押圧部材２９によってプラテン５側へ押圧される。
【００２５】
給紙部１３から記録紙６が送られてくると、押圧部材２９が搬送従動ローラー２２をプラテン５側に押圧することにより、搬送従動ローラー２２とプラテン５との間に記録紙６が挟まれる。この状態で搬送駆動ローラー２１が回転すると、記録紙６が副走査方向Ｙ下流側に搬送されると共に、この記録紙６の移動に伴って搬送従動ローラー２２が回転する。
【００２６】
排紙部１４は、排紙駆動ローラー３１、排紙従動ローラー３２、シャフト３３、および排紙部駆動ギア３４を有し、記録紙６の搬送経路においてプラテン５の下流側（排紙側）に配置されている。排紙駆動ローラー３１および排紙部駆動ギア３４は、それぞれ回転軸としてのシャフト３３に接続されている。シャフト３３は、上フレーム２７に回転自在に支持されている。また、排紙従動ローラー３２は、上フレーム２７に対して回転自在に支持され、排紙駆動ローラー３１の回転に伴って回転する。
【００２７】
排紙部駆動ギア３４は、伝動部１６の第２伝動ギア３８と噛み合っている。したがって、駆動モーター１５による駆動力が、伝動部１６の第２伝動ギア３８を介して排紙部駆動ギア３４に伝達される。排紙部駆動ギア３４がシャフト３３を軸として回転すると、排紙駆動ローラー３１も一体的に回転する。そして、プラテン５側から記録紙６が送られてくると、当該記録紙６は、排紙駆動ローラー３１と排紙従動ローラー３２との間に挟まれる。この状態で排紙駆動ローラー３１が回転すると、記録紙６が排紙側に搬送され、この記録紙６の移動に伴って排紙従動ローラー３２が回転する。
【００２８】
伝動部１６は、シャフト３６、第１伝動ギア３７、および第２伝動ギア３８を有する。第１伝動ギア３７および第２伝動ギア３８は、図１（ｂ）における手前からこの順に配置され、回転の軸としてのシャフト３６に接続されている。シャフト３６は、筐体の上フレーム２７に回転自在に支持される。
【００２９】
図２は、記録ヘッド２の構成を説明する要部断面図である。この記録ヘッド２は、ケース４１と、このケース４１内に収納される振動子ユニット４２と、ケース４１の底面（先端面）に接合される流路ユニット４３と、カバー部材４５等を備えている。上記のケース４１は、例えば、エポキシ系樹脂により作製され、その内部には振動子ユニット４２を収納するための収納空部４４が形成されている。振動子ユニット４２は、圧力発生手段の一種として機能する圧電振動子４６と、この圧電振動子４６が接合される固定板４７と、圧電振動子４６に駆動信号を供給するフレキシブルケーブル４８とを備えている。
【００３０】
図３は、振動子ユニット４２の構成を説明する素子長手方向の断面図である。同図に示すように、圧電振動子４６は、共通内部電極６５と個別内部電極６６とで、圧電体６７を挟んで交互に積層して形成された積層型の圧電振動子である。ここで、共通内部電極６５は、全ての圧電振動子４６に共通な電極であり、接地電位に設定される。また、個別内部電極６６は、印加される駆動信号の噴射駆動パルスＤＰ（図５参照。）に応じて電位が変動する電極である。そして、本実施形態では、圧電振動子４６における振動子先端から振動子長手方向（積層方向とは直交する方向）の半分程度まで若しくは３分の２程度までの部分が自由端部４６ａとなっている。また、圧電振動子４６における残りの部分、即ち、自由端部４６ａの基端から振動子基端までの部分が基端部（固定端部）４６ｂとなっている。
【００３１】
自由端部４６ａには、共通内部電極６５と個別内部電極６６とが重なり合った活性領域（オーバーラップ部分）Ａが形成されている。これらの内部電極６５，６６に電位差を与えると、活性領域Ａの圧電体６７が作動して変形し、自由端部４６ａが振動子長手方向に変位して伸縮する。そして、共通内部電極６５の基端は、圧電振動子４６の基端面部で共通外部電極６８に導通している。一方、個別内部電極６６の先端は、圧電振動子４６の先端面部で個別外部電極６９に導通している。なお、共通内部電極６５の先端は圧電振動子４６の先端面部よりも少し手前（基端面側）に位置しており、個別内部電極６６の基端は自由端部４６ａと基端部４６ｂの境界に位置している。
【００３２】
個別外部電極６９（駆動電極）は、圧電振動子４６の先端面部と、圧電振動子４６における積層方向の一側面である配線接続面（図３における上側の面）とに一連に形成された電極であり、配線部材としてのフレキシブルケーブル４８の配線パターンと各個別内部電極６６とを導通する。そして、この個別外部電極６９の配線接続面側の部分は、基端部４６ｂ上から先端側に向けて連続的に形成されている。共通外部電極６８は、圧電振動子４６の基端面部と、上記の配線接続面と、圧電振動子４６における積層方向の他側面である固定板取付面（図３における下側の面）とに一連に形成された電極であり、フレキシブルケーブル４８の配線パターンと各共通内部電極６５との間を導通する。そして、この共通外部電極６８における配線接続面側の部分は個別外部電極６９の端部よりも少し手前から基端面部側に向けて連続的に形成されており、固定板取付面側の部分は振動子の先端面部よりも少し手前の位置から基端側に向けて連続的に形成されている。
【００３３】
上記の基端部４６ｂは、活性領域Ａの圧電体６７の作動時においても伸縮しない非作動部である。この基端部４６ｂの配線接続面側にはフレキシブルケーブル４８が配置されており、基端部４６ｂ上で個別外部電極６９及び共通外部電極６８とフレキシブルケーブル４８とが電気的に接続される。そして、このフレキシブルケーブル４８を通して駆動信号が各個別外部電極６９に印加される。
【００３４】
図２の流路ユニット４３は、流路形成基板４９の一方の面にノズルプレート５０が接合されると共に、流路形成基板４９の他方の面に振動板５１が接合されて構成されている。この流路ユニット４３には、リザーバー５２（共通液室）と、インク供給口５３と、圧力室５４と、ノズル連通口５５と、ノズル５６とが設けられている。そして、インク供給口５３から圧力室５４及びノズル連通口５５を経てノズル５６に至る一連のインク流路が、各ノズル５６に対応して形成されている。
【００３５】
上記ノズルプレート５０は、ドット形成密度に対応したピッチ（例えば１８０ｄｐｉ）で複数のノズル５６が列状に穿設されたステンレス等の金属製の薄いプレートである。このノズルプレート５０には、ノズル５６を列設してノズル列（ノズル群）が複数設けられており、１つのノズル列は、例えば１８０個のノズル５６によって構成される。
【００３６】
上記振動板５１は、支持板５７の表面に弾性体膜５８を積層した二重構造である。本実施形態では、金属板の一種であるステンレス板を支持板５７とし、この支持板５７の表面に樹脂フィルムを弾性体膜５８としてラミネートした複合板材を用いて振動板５１を作製している。この振動板５１には、圧力室５４の容積を変化させるダイヤフラム部５９が設けられている。また、この振動板５１には、リザーバー５２の一部を封止するコンプライアンス部６０が設けられている。
【００３７】
上記のダイヤフラム部５９は、エッチング加工等によって支持板５７を部分的に除去することで作製される。即ち、このダイヤフラム部５９は、圧電振動子４６の自由端部４６ａの先端面が接合される島部６１と、この島部６１を囲む薄肉弾性部６２とからなる。上記のコンプライアンス部６０は、リザーバー５２の開口面に対向する領域の支持板５７を、ダイヤフラム部５９と同様にエッチング加工等によって除去することにより作製され、リザーバー５２に貯留された液体の圧力変動を吸収するダンパーとして機能する。
【００３８】
そして、上記の島部６１には圧電振動子４６の先端面が接合されているので、この圧電振動子４６の自由端部４６ａを伸縮させることで圧力室５４の容積を変動させることができる。この容積変動に伴って圧力室５４内のインクに圧力変動が生じる。そして、記録ヘッド２は、この圧力変動を利用してノズル５６からインクを噴射させるようになっている。
【００３９】
カバー部材４５は、流路ユニット４３の側面やヘッドケース４１の側面を保護する部材であり、ステンレス鋼等の導電性を有する板材から作製されている。本実施形態におけるカバー部材４５の一部は、ノズルプレート５０のノズル５６を露出させた状態でノズル形成面の周縁部に当接しており、当該ノズルプレート５０に対して電気的に導通している。カバー部材４５は接地されており、ノズルプレート５０に接触して導通することで、例えば、記録紙６等から発生した静電気がノズルプレート５０を通じて伝達することによる駆動ＩＣ等の損傷やノズルプレート５０の帯電を防止するようになっている。
【００４０】
図４は、プリンター１の電気的な構成を説明するブロック図である。外部装置７１は、例えばコンピューターやデジタルカメラなどの画像を取り扱う電子機器である。この外部装置７１は、プリンター１と通信可能に接続されており、プリンター１において記録紙６等の記録媒体に画像やテキストを印刷させるため、その画像等に応じた印刷データをプリンター１に送信する。
【００４１】
本実施形態におけるプリンター１は、駆動モーター１５、搬送部８、伝動部１６、排紙部１４、キャリッジ移動機構７、リニアエンコーダー１０、ロータリーエンコーダー２６、用紙端部検出部９０、ヘッド制御部７４、記録ヘッド２、及び、プリンターコントローラー７２を有する。
【００４２】
プリンターコントローラー７２は、プリンターの各部の制御を行うための制御ユニットである。プリンターコントローラー７２は、インターフェイス（Ｉ／Ｆ）部７５と、ＣＰＵ７６と、記憶部７７と、駆動信号生成部７８と、を有する。インターフェイス部７５は、外部装置７１からプリンター１へ印刷データや印刷命令を送ったり、外部装置７１がプリンター１の状態情報を受け取ったりする等プリンターの状態データの送受信を行う。ＣＰＵ７６は、プリンター全体の制御を行うための演算処理装置である。記憶部７７は、ＣＰＵ７６のプログラムや各種制御に用いられるデータを記憶する素子であり、ＲＯＭ、ＲＡＭ、ＮＶＲＡＭ（不揮発性記憶素子）を含む。ＣＰＵ７６は、記憶部７７に記憶されているプログラムに従って、各ユニットを制御する。
【００４３】
ＣＰＵ７６は、リニアエンコーダー１０から出力されるリニアエンコーダーパルスからタイミングパルスＰＴＳを生成するタイミングパルス生成手段として機能する。そして、ＣＰＵ７６は、このタイミングパルスＰＴＳに同期させて印刷データの転送や、駆動信号生成部７８による駆動信号ＣＯＭの生成等を制御する。また、ＣＰＵ７６は、タイミングパルスＰＴＳに基づいて、ラッチ信号ＬＡＴ等のタイミング信号を生成して記録ヘッド２のヘッド制御部７４に出力する。ヘッド制御部７４は、プリンターコントローラー７２からのヘッド制御信号（印刷データおよびタイミング信号）に基づき、記録ヘッド２の圧電振動子４６に対する駆動信号ＣＯＭの噴射駆動パルスＤＰ（図５参照）の印加制御等を行う。
【００４４】
駆動信号生成部７８は、駆動信号の波形に関する波形データに基づいて、アナログの電圧信号を生成する。また、駆動信号生成部７８は、上記の電圧信号を増幅して駆動信号ＣＯＭを生成する。この駆動信号ＣＯＭは、記録媒体に対する印刷処理（記録処理或いは噴射処理）時に図２の記録ヘッド２の圧力発生手段である圧電振動子４６に印加されるものであり、繰り返し周期である単位期間内に、例えば図５に示す噴射駆動パルスＤＰを少なくとも１つ以上含む一連の信号である。ここで、噴射駆動パルスＤＰとは、記録ヘッド２のノズル５６から液滴状のインクを噴射させるために、圧電振動子４６に所定の動作を行わせるものである。
【００４５】
図５は、駆動信号ＣＯＭに含まれる噴射駆動パルスＤＰの構成の一例を示す波形図である。なお、図５において、縦軸は電位であり、横軸は時間である。また、噴射駆動パルスＤＰは、基準電位（中間電位）Ｖｂから最大電位（最大電圧）Ｖｍａｘまでプラス側に電位が変化して図２の圧力室５４を膨張させる膨張要素ｐ１と、最大電位Ｖｍａｘを一定時間維持する膨張維持要素ｐ２と、最大電位Ｖｍａｘから基準電位Ｖｂよりも低い最小電位（最小電圧）Ｖｍｉｎまでマイナス側に電位が変化して圧力室５４を急激に収縮させる収縮要素ｐ３と、最小電位Ｖｍｉｎを一定時間維持する収縮維持（制振ホールド）要素ｐ４と、最小電位Ｖｍｉｎから基準電位Ｖｂまで電位が復帰する復帰要素ｐ５と、を含んでいる。本実施形態における噴射駆動パルスＤＰは、最小電位（最小電圧）Ｖｍｉｎが０以上であるため、全体としてプラスの電圧波形であるが、例えば共通外部電極６８に印加されるバイアス電圧との関係で、部分的にマイナスの値を示す構成であっても良い。この場合、噴射駆動パルスＤＰの電圧が平均してプラスであるものとする。
【００４６】
噴射駆動パルスＤＰが圧電振動子４６に印加されると次のように作用する。まず、膨張要素ｐ１により圧電振動子４６が収縮し、これに伴って圧力室５４が基準電位Ｖｂに対応する基準容積から最大電位Ｖｍａｘに対応する最大容積まで膨張する。これにより、ノズル５６に露出しているメニスカスが圧力室側に引き込まれる。この圧力室５４の膨張状態は、膨張維持要素ｐ２の印加期間中に亘って一定に維持される。膨張維持要素ｐ２の後に続いて収縮要素ｐ３が圧電振動子４６に印加されると、当該圧電振動子４６が伸長し、これにより、圧力室５４が上記最大容積から最小電位Ｖｍｉｎに対応する最小容積まで急激に収縮する。この圧力室５４の急激な収縮によって圧力室５４内のインクが加圧され、これにより、ノズル５６からは数ｐｌ〜数十ｐｌのインクが噴射される。この圧力室５４の収縮状態は、収縮維持要素ｐ４の印加期間に亘って短時間維持され、その後、復帰要素ｐ５が圧電振動子４６に印加されて、圧力室５４が最小電位Ｖｍｉｎに対応する容積から基準電位Ｖｂに対応する基準容積まで復帰する。
【００４７】
図１（ａ）のキャリッジ４の主走査方向Ｘの位置は、図４のリニアエンコーダー１０によって検出され、その検出信号、即ち、リニアエンコーダーパルスがプリンターコントローラー７２に送信される。リニアエンコーダー１０は、記録ヘッド２の走査位置に応じたリニアエンコーダーパルスを、主走査方向Ｘにおける位置情報として出力する。すなわち、リニアエンコーダー１０は、キャリッジ４およびこれに搭載された記録ヘッド２の移動量を検出する検出装置として機能する。このリニアエンコーダー１０は、上フレーム２７の背面の内壁に主走査方向Ｘに沿って張設されたリニアスケール１７と、キャリッジ４の背面に取り付けられたリニアセンサー部１８と、を備えている。リニアエンコーダー１０の検出方式としては光学式や磁気式などがあり、本実施形態では光学式が採用されている。
【００４８】
図６（ａ）は、図１（ａ）のリニアスケール１７の部分拡大図である。リニアスケール１７は、記録ヘッド２の移動方向、すなわち主走査方向Ｘに長尺な帯状の部材である。本実施形態においては、鉛直方向Ｚの中央に位置するスケール中央部１７ａと、このスケール中央部１７ａの上下に設けられたスケール縁部１７ｂと、から成る。
【００４９】
スケール中央部１７ａには、光を遮蔽する遮光部８０が、主走査方向Ｘに沿って所定の間隔で複数設けられている。遮光部８０は、スケール中央部１７ａの鉛直方向Ｚに長尺な筋状に印刷された（塗料などで塗りつぶされた）部分である。この遮光部８０を一定の間隔で複数設けることで、隣り合う遮光部８０の間には光が透過可能な透光部８１が設けられている。すなわち、スケール中央部１７ａには、透光部８１と遮光部８０とが主走査方向Ｘに沿って交互にストライプ状に設けられて検出パターンが形成されている。
【００５０】
なお、スケール中央部１７ａが不透明な材料から成る場合、例えば、スリット状の貫通穴を透光部として形成することで検出パターンとする構成も採用することができる。スケール縁部１７ｂは、キャリッジ４（記録ヘッド２）の位置検出に関与しない部分である。
【００５１】
図１（ｂ）のリニアセンサー部１８は、光を照射する発光素子等を有する発光部１９と、光を受光する受光素子等を有する受光部２０とを備えている。発光部１９と受光部２０とは、リニアスケール１７のスケール中央部１７ａを間に挟んで互いに対向するように配置されており、発光部１９の光軸は受光部２０に向けられている。
【００５２】
発光部１９から照射（発光）された光は、リニアスケール１７の透光部８１では透過して受光部２０によって受光される一方、遮光部８０では遮蔽されて受光部２０に受光されない。そして、リニアセンサー部１８は、スケール中央部１７ａの透光部８１での受光状態と遮光部８０での受光状態の差異に応じて、リニアエンコーダーパルスを、主走査方向Ｘにおけるキャリッジ４の位置情報として出力するようになっている。
【００５３】
図６（ｂ）、（ｃ）は、図４のロータリーエンコーダー２６の構成を説明する図であり、図６（ｂ）はロータリーエンコーダー２６の側面図、図６（ｃ）は、図６（ｂ）におけるＢ−Ｂ線断面図である。ロータリーエンコーダー２６は、ローター２４の外周縁部に設けられたロータリースケール３９と、ロータリースケール３９よりも中央側（シャフト２３側）のローター中央部２４ａと、ロータリーセンサー部４０と、から成る。
【００５４】
図６（ｃ）に示すように、ロータリーセンサー部４０は、光を発光する発光素子等を有する発光部８６と、光を受光する受光素子等を有する受光部８７と、これらの発光部８６および受光部８７を保持するブラケット８８と、を備えている。発光部８６と受光部８７とは、ロータリースケール３９を間に挟んで互いに対向する状態でブラケット８８に固定されている。このブラケット８８は、図１（ｂ）のプリンター１の筐体の上フレーム２７に固定されている。
【００５５】
発光部８６の光軸は受光部８７に向けられている。発光部８６から照射（発光）された光は、ロータリースケール３９のスリット部８３では透過して受光部８７によって受光される一方、遮光部８４では遮蔽されて受光部８７に受光されない。そして、ロータリーセンサー部４０は、スリット部８３での受光状態と遮光部８４での受光状態の差異に応じて、ロータリーエンコーダーパルスを、副走査方向Ｙにおける記録紙６の搬送量情報として出力するようになっている。これにより、プリンターコントローラー７２は、ロータリーセンサー部４０からのロータリーエンコーダーパルスに基づいて、記録紙６の搬送量を認識しながら、記録ヘッド２による記録紙６に対する記録動作を制御することができる。
【００５６】
図４のプリンターコントローラー７２は、用紙端部検出部９０による受光量の変化から記録紙６の端部を検出し、リニアエンコーダー１０によるキャリッジ４の移動量に基づいて、記録紙６の主走査方向Ｘにおける端部の位置を検出することができる。
【００５７】
図７（ａ）は、プラスに帯電したインクが記録ヘッド２から噴射される様子を説明するための模式図である。振動子ユニット４２の共通外部電極６８は接地され、個別外部電極６９にプラスの電圧が印加される。これにより、振動子ユニット４２の下端部に島部６１を介して接合された振動板５１によって、圧力室５４内のインクに圧力変動が生じ、ノズルプレート５０に形成されたノズル５６からインクが噴射される。
【００５８】
個別外部電極６９にプラスの電圧が印加されたとき、圧電振動子４６と圧力室５４との間は絶縁されているので、圧力室５４内のインクにおける島部６１の近傍には、静電誘導によりマイナスの電荷が誘導される。ノズル連通口５５内における圧電振動子４６とは反対側となるノズル５６の近傍のインクには、プラスの電荷が誘導される。
【００５９】
そのため、ノズル５６からプラスに帯電したインクが噴射される。ノズルプレート５０が接地されていると、ノズルプレート５０側にインクのプラス電荷が移動するが、プラス電荷が残った状態でノズル５６からインクが噴射される。その結果、ノズル５６から噴射されたインクはプラスに帯電することになる。
【００６０】
ノズル５６から噴射されたインクは、分離して主滴２００、主滴より小さな所謂サテライト液滴２０１、さらにサテライト液滴２０１より小さなミスト２０２に分離する。主滴２００、サテライト液滴２０１、ミスト２０２は、プラスに帯電した状態で飛翔する。
【００６１】
図７（ｂ）、（ｃ）は、ミスト２０２において、さらにプラスの帯電が強まる様子を説明する図である。図７（ｂ）のミスト２０２は、電気的に２重層に構成される。ミスト２０２のコア部分２０２ａは正極性に帯電し、ミスト２０２の表面側の部分２０２ｂは負極性に帯電し、ミスト２０２と接する空気は正極性に帯電している。
【００６２】
ミスト２０２の表面側の水分が表面のマイナス電荷を持って蒸発することにより、図７（ｃ）のミスト２０２にプラスの電荷が多く残留することになり、ミスト２０２は、プラスに帯電する（レナード効果）。
【００６３】
このように、記録ヘッド２からインクが噴射された後、ミストの表面側が蒸発することで生じるレナード効果によって、正極性に帯電したミストが空気中を浮遊する。ミストが空気中を漂う時間が長くなると、蒸発量が多くなるため、ミストの帯電量は多くなる。
【００６４】
図８（ａ）は、副走査方向Ｙ方向から見た図で、光学式検出部の一例である用紙端部検出部９０と、用紙端部検出部９０を囲むカバー部９３とを示す図である。用紙端部検出部９０は、副走査方向Ｙにおいてキャリッジ４の上流側で、キャリッジ４の鉛直方向Ｚにおける下端部に備えられる。
【００６５】
図９（ａ）は、キャリッジ４の下端部に備えられたカバー部９３を、支持突起５ａ側から見た斜視図である。カバー部９３の外形は、立方体状である。カバー部９３の下方には、四角形の開口部９４が設けられる。図８（ａ）は、図９（ａ）の破線に示す断面位置Ａ−Ａ´における断面図となる。
【００６６】
用紙端部検出部９０は、発光部９１と、受光部９２とを備える。破線で示すように、発光部９１から発光されて開口部９４を通った光は、支持突起５ａに支持された記録紙６によって反射されて、開口部９４を再び通り受光部９２によって受光される。
【００６７】
図８（ｂ）は、図８（ａ）の用紙端部検出部９０、カバー部９３の部分を拡大した図である。発光部９１は、透光性を有する部材から形成された第１透明部材としての発光部レンズ９１ｂと、空洞部に発光ダイオードなどの発光素子９１ｃを有する保持部９１ａとを含んで構成される。発光部レンズ９１ｂは、発光素子９１ｃから発光された光をプラテン５側に集光させるとともに、保持部９１ａの空洞部を密閉する。
【００６８】
受光部９２は、透光性を有する部材から形成された第２透明部材としての受光部レンズ９２ｂと、空洞部にフォトトランジスターなどの受光素子９２ｃを有する保持部９２ａとを含んで構成される。受光部レンズ９２ｂは、記録紙６によって反射された反射光を受光素子に集光させるとともに、保持部９２ａの空洞部を密閉する。
【００６９】
帯電列において、カバー部９３は、空気との摩擦によってマイナス側に帯電しやすい部材によって形成され、発光部レンズ９１ｂ、受光部レンズ９２ｂは、空気との摩擦によってプラス側に帯電しやすい部材によって形成される。本実施形態では、例えば、カバー部９３は、ポリエステル、ポリエチレン、ポリスチレン、ポリプロピレン、アクリル、塩化ビニル、テフロン（登録商標）などによって形成され、発光部レンズ９１ｂ、受光部レンズ９２ｂは、ガラスなどによって形成される。
【００７０】
キャリッジ４の主走査方向Ｘの移動や、記録紙６の搬送などによって、気流が発生する。そのため、図８（ｂ）に示すように、カバー部９３は、空気との摩擦によってマイナス側に帯電し、発光部レンズ９１ｂ、受光部レンズ９２ｂは、空気との摩擦によってプラス側に帯電する。
【００７１】
これにより、プラスに帯電した発光部レンズ９１ｂおよび受光部レンズ９２ｂと、プラスに帯電したミスト２０２との間には、斥力が生じるため、ミスト２０２が発光部レンズ９１ｂおよび受光部レンズ９２ｂに付着することが抑制される。
【００７２】
また、マイナスに帯電したカバー部９３とプラスに帯電したミスト２０２との間には、引力が生じるため、ミスト２０２は、カバー部９３における内側（用紙端部検出部９０側）や外側（用紙端部検出部９０と反対側）に吸着される。これにより、用紙端部検出部９０の近傍を浮遊するミスト２０２が減少するので、ミスト２０２が発光部レンズ９１ｂおよび受光部レンズ９２ｂに付着することが抑制される。
【００７３】
図９（ｂ）は、外形が円筒状のカバー部９５の斜視図である。本実施形態では、外形が立方体状のカバー部９３を備えたが、発光部９１から発光された光や反射光が通るための鉛直方向Ｚから見た形状が円形の開口部９６を有し、外形が円筒状のカバー部９５を備え、発光部９１、受光部９２を囲むようにしてもよい。
【００７４】
以上、本実施形態で説明したプリンター１は、液体としてのインクを噴射する図２のノズル５６、ノズル５６に連通する圧力室５４、および、駆動信号の印加により駆動して圧力室５４内のインクに圧力変動を生じさせる圧力発生手段を有し、圧力発生手段の駆動によりノズル５６からインクを噴射させる液体噴射ヘッドとしての記録ヘッド２と、図８（ｂ）の発光素子９１ｃから第１透明部材としての発光部レンズ９１ｂを介して発光する発光部９１と、受光素子９２ｃによって第２透明部材としての受光部レンズ９２ｂを介して受光する受光部９２とを有し、発光部９１から発光された光の反射光を受光部９２によって受光する用紙端部検出部９０と、用紙端部検出部９０を囲む、帯電部材であるカバー部９３と、を備える。
【００７５】
そして、発光部レンズ９１ｂおよび受光部レンズ９２ｂは、帯電列において駆動信号の極性と同極性であるプラス側の順位にある材料から構成され、カバー部９３は、帯電列において駆動信号の極性と反対極性であるマイナス側の順位にある材料から構成される。
【００７６】
この構成によれば、駆動信号の極性と同極性であるプラスに帯電したミスト２０２と発光部レンズ９１ｂおよび受光部レンズ９２ｂとの間に、斥力が生じるため、ミスト２０２が発光部レンズ９１ｂおよび受光部レンズ９２ｂに付着することが抑制される。
【００７７】
また、駆動信号の極性と同極性であるプラスに帯電したミスト２０２とカバー部９３との間に、引力が生じるため、ミスト２０２がカバー部９３側に引き寄せられて、ミスト２０２がカバー部９３に付着する可能性が高い。そのため、用紙端部検出部９０の近傍を浮遊するミスト２０２が減少するので、発光部レンズ９１ｂおよび受光部レンズ９２ｂにミスト２０２が付着することを抑制できる。従って、用紙端部検出部９０による検出精度が低下することを抑制できる。
【００７８】
また、カバー部９３は、例えば導電性プラスチックを使用したり、導電性を有する材料で表面をコーティングする等、表面を導電化し、アースに接地してもよい。これにより、例えば動作が止まっているときなど、空気との摩擦が無い場合でもアースに落ちているためカバー部９３は電位を持たず、少なくともミストのプラス電荷よりマイナス寄りのため、ミストとカバー部９３の間に常に引力を発生させることができる。
【００７９】
本実施形態では、光学式検出部として用紙端部検出部について説明したが、本発明を光学式検出部としての図１（ｂ）のリニアセンサー部１８に適用してもよい。すなわち、リニアセンサー部１８に発光部１９、受光部２０を覆うカバー部を備え、発光部１９のレンズ、受光部２０のレンズは、帯電列において駆動信号の極性と同極性であるプラス側の順位にある材料から構成され、発光部１９、受光部２０を覆うカバー部は、帯電列において駆動信号の極性と反対極性であるマイナス側の順位にある材料から構成される。
【００８０】
また、本発明を光学式検出部としての図６（ｂ）のロータリーセンサー部４０に適用してもよい。すなわち、ロータリーセンサー部４０に発光部８６、受光部８７を覆うカバー部を備え、発光部８６のレンズ、受光部８７のレンズは、帯電列において駆動信号の極性と同極性であるプラス側の順位にある材料から構成され、発光部８６、受光部８７を覆うカバー部は、帯電列において駆動信号の極性と反対極性であるマイナス側の順位にある材料から構成される。
【００８１】
（実施形態２）
実施形態１では、カバー部９３に開口部９４が設けられたが、実施形態２では、発光部レンズ９１ｂ、受光部レンズ９２ｂと対向する位置に、透明部材を備えたプリンターについて説明する。
【００８２】
図１０（ａ）は、副走査方向Ｙ方向から見た図で、実施形態２における、用紙端部検出部９０、カバー部９３、第３透明部材としての透明部材９７を示す図である。図１０（ａ）は、図８（ｂ）の開口部９４が形成された部分に、透明部材９７を備えたものである。用紙端部検出部９０は、実施形態１で説明した構成と同じである。用紙端部検出部９０は、副走査方向Ｙにおいてキャリッジ４の上流側で、キャリッジ４の鉛直方向Ｚにおける下端部に備えられる。
【００８３】
透明部材９７は、周囲がカバー部９３に接合されてカバー部９３に保持される。透明部材９７は、発光部レンズ９１ｂおよび受光部レンズ９２ｂと対向する位置に配置される。発光部９１から照射（発光）された光は、透明部材９７を通り、記録紙６によって反射され、反射光として再び透明部材９７を通り受光部９２によって受光される。
【００８４】
実施形態１と同様に、発光部レンズ９１ｂおよび受光部レンズ９２ｂは、帯電列において駆動信号の極性と同極性であるプラス側の順位にある材料（例えば、ガラス）から構成され、カバー部９３は、帯電列において駆動信号の極性と反対極性であるマイナス側の順位にある材料（例えば、ポリエステル）から構成される。
【００８５】
キャリッジ４の主走査方向Ｘの移動や、記録紙６の搬送などによって、気流が発生すると、カバー部９３は、空気との摩擦によってマイナス側に帯電し、発光部レンズ９１ｂ、受光部レンズ９２ｂは、空気との摩擦によってプラス側に帯電する。
【００８６】
これにより、駆動信号の極性と同極性であるプラスに帯電したミスト２０２と発光部レンズ９１ｂおよび受光部レンズ９２ｂとの間に斥力が生じるため、ミスト２０２が発光部レンズ９１ｂおよび受光部レンズ９２ｂに付着することが抑制される。
【００８７】
本実施形態では、帯電列において駆動信号の極性と同極性側であるプラス側の順位にある材料（例えば、ガラス）から構成された透明部材９７が、発光部レンズ９１ｂおよび受光部レンズ９２ｂと対向する位置に、カバー部９３に保持されて備えられる。
【００８８】
これにより、駆動信号の極性と同極性であるプラスに帯電したミスト２０２と透明部材９７との間に斥力が生じるため、ミスト２０２が透明部材９７に付着することが抑制される。
【００８９】
また、前述したように、カバー部９３は、帯電列において駆動信号の極性と反対極性側であるマイナス側の順位にある材料から構成されるので、プラスに帯電したミスト２０２がカバー部９３に引き寄せられてカバー部９３に付着する可能性が高い。
【００９０】
そのため、透明部材９７の近傍を浮遊するミスト２０２が減少するので、ミスト２０２が透明部材９７に付着することが抑制される。これにより、発光部９１から発光された光や反射光の光量が透明部材９７によって低下することが抑制され、用紙端部検出部９０によって記録紙６の端部を検出する検出精度が低下することを抑制できる。本実施形態におけるプリンターのその他の構成は、実施形態１で説明したプリンター１の構成と同じである。
【００９１】
（実施形態３）
実施形態１、実施形態２では、発光部レンズ９１ｂ、受光部レンズ９２ｂは、帯電列においてプラス側の順位にある部材によって形成されたが、帯電列における順位を規定しない材料によって、発光部レンズ、受光部レンズを形成してもよい。
【００９２】
図１０（ｂ）は、副走査方向Ｙから見た図で、実施形態３における、用紙端部検出部１００、カバー部９３、透明部材９７を示す図である。カバー部９３、第３透明部材としての透明部材９７は、実施形態２で説明した構成と同じである。用紙端部検出部１００は、発光部１０１、受光部１０２を備える。
【００９３】
発光部１０１は、透光性を有する部材から形成された第１透明部材としての発光部レンズ１０１ｂと、空洞部に発光ダイオードなどの発光素子１０１ｃを有する保持部１０１ａとを含んで構成される。受光部１０２は、透光性を有する部材から形成された第２透明部材としての受光部レンズ１０２ｂと、空洞部にフォトトランジスターなどの受光素子１０２ｃを有する保持部１０２ａとを含んで構成される。本実施形態における発光部レンズ１０１ｂと受光部レンズ１０２ｂは、帯電列における順位を規定しない部材によって形成される。
【００９４】
実施形態２と同様に、透明部材９７は、帯電列において駆動信号の極性と同極性側であるプラス側の順位にある材料（例えば、ガラス）から構成され、カバー部９３は、帯電列において駆動信号の極性と反対極性であるマイナス側の順位にある材料（例えば、ポリエステル）から構成される。
【００９５】
これにより、気流が発生すると、空気との摩擦により、カバー部９３は、マイナスに帯電し、透明部材９７は、プラスに帯電する。そのため、ミスト２０２はカバー部９３に付着する可能性が高く、透明部材９７にミストが付着することが抑制される。本実施形態におけるプリンターのその他の構成は、実施形態１で説明したプリンター１の構成と同じである。
【００９６】
（実施形態４）
実施形態４では、カバー部と摺動し、カバー部に付着したミストを除去する構成を備えたプリンターについて説明する。図１１（ａ）は、実施形態４におけるカバー部１２１、第３透明部材としての透明部材１２２をプラテン５側から見た斜視図である。透明部材１２２は、副走査方向Ｙにおける中央部に位置し、カバー部１２１によって保持される。
【００９７】
図１１（ｂ）は、摺動部１３０の斜視図である。摺動部１３０は、固定部材１３８、保持部材１３４，１３５，１３６、第１摺動部１３２、第２摺動部１３１，１３３によって構成される。
【００９８】
摺動部１３０は、長手方向が副走査方向Ｙに沿って備えられる。第１摺動部１３２は、副走査方向Ｙにおける中央部に位置し、第２摺動部１３１，１３３は、副走査方向Ｙにおける第１摺動部１３２の両側に位置する。
【００９９】
第１摺動部１３２、第２摺動部１３１，１３３は、導電性を有し、可撓性を有する複数の棒状部材１３７から構成される。第１摺動部１３２は、導電性を有する保持部材１３５に保持され、第２摺動部１３１，１３３は、導電性を有する保持部材１３４，１３６にそれぞれ保持される。保持部材１３４〜１３６に保持された第１摺動部１３２、第２摺動部１３１，１３３は、所謂ブラシを形成する。保持部材１３４，１３５，１３６は、不導体の固定部材１３８に固定される。
【０１００】
摺動部１３０は、プラテン５側に鉛直方向Ｚにおいて上下方向に移動可能に備えられる。摺動部１３０が、上側の位置にあるとき、キャリッジ４が主走査方向Ｘに移動すると、第１摺動部１３２が、図１１（ａ）の透明部材１２２の表面１２２ａと摺動し、第２摺動部１３１，１３３が、カバー部１２１の表面１２１ａ，１２１ｂと摺動可能である。
【０１０１】
図１２は、主走査方向Ｘから見た図で、実施形態４における、用紙端部検出部１００、カバー部１２１、透明部材１２２、摺動部１３０を示す模式図である。用紙端部検出部１００は、実施形態３で説明した構成と同じである。透明部材１２２は、帯電列において駆動信号の極性と同極性側であるプラス側の順位にあるガラスなどの材料から構成される。
【０１０２】
カバー部１２１は、帯電列において駆動信号の極性と反対極性であるマイナス側の順位にあるポリエステル、アクリル、塩化ビニル、テフロン（登録商標）などの材料から構成される。これにより、キャリッジ４の移動などによって気流が生じると、透明部材１２２はプラスに帯電し、カバー部１２１はマイナスに帯電する。
【０１０３】
第１摺動部１３２には、保持部材１３５を介してマイナスの電位を印加し、第２摺動部１３１，１３３には、保持部材１３４，１３６を介してプラスの電位を印加する。
【０１０４】
摺動部１３０を鉛直方向Ｚにおける上側に移動させた状態で、キャリッジ４を主走査方向Ｘに移動させると、マイナスに帯電した第１摺動部１３２が、プラスに帯電した透明部材１２２の表面１２２ａと摺動し、プラスに帯電した第２摺動部１３１，１３３が、マイナスに帯電したカバー部１２１の表面１２１ａ，１２１ｂと摺動する。
【０１０５】
以上、本実施形態で説明したプリンターは、駆動信号の極性と反対極性の電位であるマイナスの電位が印加されて透明部材１２２と摺動する第１摺動部１３２と、駆動信号の極性と同極性の電位であるプラスの電位が印加されてカバー部１２１と摺動する第２摺動部１３１，１３３と、を備える。
【０１０６】
この構成によれば、第１摺動部１３２、第２摺動部１３１，１３３が透明部材１２２、カバー部１２１とそれぞれ摺動することによって、透明部材１２２、カバー部１２１に付着したミスト２０２を除去する。さらに、透明部材１２２は、駆動信号の極性と同極性であるプラスにより強く帯電し、カバー部１２１は、駆動信号の極性と反対極性であるマイナスにより強く帯電する。
【０１０７】
これにより、駆動信号の極性と同極性であるプラスに帯電したミスト２０２と第３透明部材としての透明部材１２２との間の斥力が大きくなるので、透明部材１２２にミスト２０２が付着することを抑制できる。また、プラスに帯電したミスト２０２とカバー部１２１との間の引力が大きくなるので、カバー部１２１に付着する量が多くなる。そのため、透明部材１２２の近傍を浮遊するミスト２０２が減少し、透明部材１２２にミスト２０２が付着することを抑制できる。
【０１０８】
発光部１０１に備える発光部レンズ１０１ｂ、受光部１０２に備える受光部レンズ１０２ｂは、帯電列において、駆動信号の極性と同極性であるプラス側の順位にある材料から構成してもよい。これにより、発光部レンズ１０１ｂおよび受光部レンズ１０２ｂと、プラスに帯電したミストとの間に斥力が生じるので、ミストが発光部レンズ１０１ｂ、受光部レンズ１０２ｂに付着することを抑制できる。
【０１０９】
本実施形態の第１摺動部１３２、第２摺動部１３１，１３３は、可撓性を有する複数の棒状部材から構成されたが、図１１（ｃ）に示すように、第１摺動部１４２、第２摺動部１４１，１４３をゴムなどの可撓性を有する板状の部材で構成した摺動部１４０でもよい。第１摺動部１４２、第２摺動部１４１，１４３は、表面に導電性を有する金属材料をコーティングする導電処理を行い、導電性を有する。
【０１１０】
第１摺動部１４２は、導電性を有する保持部材１４５に保持され、第２摺動部１４１，１４３は、導電性を有する保持部材１４４，１４６に保持される。第１摺動部１４２、第２摺動部１４１，１４３は、固定部材１４７に固定され、摺動部１４０は、鉛直方向Ｚにおける上下に移動可能である。本実施形態におけるプリンターのその他の構成は、実施形態１で説明したプリンター１の構成と同じである。
【０１１１】
本実施形態では、第１摺動部１３２にマイナスの電位を印加し、第２摺動部１３１，１３３にプラスの電位を印加したが、第１摺動部１３２、第２摺動部１３１，１３３に電位を印加せずに、第１摺動部１３２を例えばアクリル繊維などのマイナス帯電部材によって構成し、第２摺動部１３１，１３３を例えばナイロン繊維、絹などのプラス帯電部材によって構成してもよい。
【０１１２】
（実施形態５）
実施形態４では、第１摺動部１３２、第２摺動部１３１，１３３が透明部材１２２、カバー部１２１とそれぞれ摺動することによって、透明部材１２２、カバー部１２１に付着したミスト２０２を除去したが、透明部材１２２、カバー部１２１と接触せずに、透明部材１２２、カバー部１２１の下方を移動する部材を設けてもよい。
【０１１３】
図１３は、主走査方向Ｘから見た図で、実施形態５における、用紙端部検出部１００、カバー部１２１、透明部材１２２、移動部１５０を示す模式図である。用紙端部検出部１００、カバー部１２１、透明部材１２２は、実施形態４で説明した構成と同じである。
【０１１４】
移動部１５０は、カバー部１２１と対向する位置に設けられた第１移動部材１５１，１５３、透明部材１２２と対向する位置に設けられた第２移動部材１５２とから構成される。第１移動部材１５１，１５３には、プラスの電位が印加される。第２移動部材１５２には、マイナスの電位が印加される。移動部１５０は、カバー部１２１、透明部材１２２と接触せずに、カバー部１２１、透明部材１２２の下方を主走査方向Ｘに移動する。
【０１１５】
これにより、誘導電位を発生させ、透明部材１２２、カバー部１２１の帯電性を強めることができる。
【０１１６】
第１移動部材１５１，１５３、第２移動部材１５２に電位を印加せずに、第２移動部材１５２をポリエチレン、ポリプロピレンなどのマイナス帯電部材によって構成し、第１移動部材１５１，１５３をナイロン、ガラス等のプラス帯電部材によって構成してもよい。
【０１１７】
（実施形態６）
図１４（ａ）は、実施形態６における用紙端部検出部９０の近傍に帯電部材３００を設けたことを示す図である。用紙端部検出部９０の構成は、実施形態１で説明した構成と同じである。
【０１１８】
帯電部材３００は、キャリッジ４の主走査方向Ｘにおける用紙端部検出部９０の両側に設けられる。帯電部材３００のキャリッジ４からの鉛直方向Ｚの高さは、用紙端部検出部９０の高さと略同じである。帯電部材３００は、空気との摩擦により帯電する部材である。
【０１１９】
用紙端部検出部９０における発光部レンズ９１ｂおよび受光部レンズ９２ｂは、帯電列においてプラス側の順位にあるガラスなどによって形成される。帯電部材３００は、帯電列においてマイナス側の順位にあるポリエステル、アクリル、塩化ビニル、テフロン（登録商標）などの材料から構成される。これにより、キャリッジ４の移動などによって気流が生じると、用紙端部検出部９０の、発光部レンズ９１ｂ、受光部レンズ９２ｂはプラスに帯電し、帯電部材３００はマイナスに帯電する。
【０１２０】
そのため、ミスト３０１は帯電部材３００に付着する可能性が高く、発光部レンズ９１ｂ、受光部レンズ９２ｂにミスト３０１が付着することが抑制される。
【０１２１】
図１４（ｂ）に示すように、キャリッジ４からの鉛直方向Ｚの高さが、用紙端部検出部９０より高い帯電部材３０２を備えてもよい。また、図１４（ｃ）に示すように、主走査方向Ｘの長さが、鉛直方向Ｚの高さより長い帯電部材３０３を備えてもよい。
【０１２２】
図１５（ａ）は、帯電部材３０３ａを副走査方向Ｙから見た断面拡大図である。帯電部材３０３ａは、発光部レンズ９１ｂ、受光部レンズ９２ｂの近傍にそなえられたものである。図１５（ａ）に示すように、帯電部材３０３ａの表面に複数の凹凸部３０４を設けるようにしてもよい。
【０１２３】
図１５（ｂ）は、帯電部材３０３ｂを副走査方向Ｙから見た外観拡大図である。帯電部材３０３ｂは、発光部レンズ９１ｂ、受光部レンズ９２ｂの近傍にそなえられたものである。図１５（ｂ）に示すように、帯電部材３０３ｂの表面に突出部が延設された複数のリブ３０５を設けるようにしてもよい。
【０１２４】
このように、帯電部材３０３ａ，３０３ｂに複数の凹凸部３０４や複数のリブ３０５を設けることにより、帯電部材の表面積が増加するので、ミストの吸着量が増加し、発光部レンズ９１ｂ、受光部レンズ９２ｂにミスト３０１が付着することが抑制される。
【０１２５】
実施形態１で説明したリニアセンサー部１８、ロータリーセンサー部４０は、発光部１９，８６、受光部２０，８７を互いに対向するように配置したが、発光部１９，８６から発光された光の反射光を、受光部２０，８７によって受光するように配置してもよい。
【０１２６】
実施形態１〜実施形態５では、記録ヘッド２を搭載したキャリッジ４を主走査方向Ｘに移動させて記録するプリンター１について説明したが、本発明は、記録紙６が搬送される方向と交わる方向（主走査方向Ｘ）において、記録領域の全幅に亘ってノズルが配置された記録ヘッドを備え、記録紙６に画像を形成する記録装置にも適用する。
【０１２７】
また、上記実施形態では、圧力発生手段として、所謂縦振動型の圧電振動子４６を例示したが、これには限られず、例えば、所謂撓み振動型の圧電振動子を採用することも可能である。この場合、図５に例示した駆動信号（噴射駆動パルスＤＰ）の波形に関し、電位の変化方向、つまり上下が反転した波形となる。その他、圧力発生手段としては、発熱によりインクを突沸させることで圧力変動を生じさせる発熱素子や、静電気力により圧力室の区画壁を変位させることで圧力変動を生じさせる静電アクチュエーターなど、電圧の印加により駆動される圧力発生手段を採用する構成においても本発明を適用することが可能である。
【０１２８】
そして、本発明は、圧力発生手段を用いて液体の噴射制御が可能な液体噴射装置であれば、プリンターに限らず、プロッター、ファクシミリ装置、コピー機等、各種のインクジェット式記録装置や、記録装置以外の液体噴射装置、例えば、ディスプレイ製造装置、電極製造装置、チップ製造装置等にも適用することができる。そして、ディスプレイ製造装置では、色材噴射ヘッドからＲ（Ｒｅｄ）・Ｇ（Ｇｒｅｅｎ）・Ｂ（Ｂｌｕｅ）の各色材の溶液を噴射する。また、電極製造装置では、電極材噴射ヘッドから液状の電極材料を噴射する。チップ製造装置では、生体有機物噴射ヘッドから生体有機物の溶液を噴射する。
【符号の説明】
【０１２９】
１…プリンター、２…記録ヘッド、４…キャリッジ、４６…圧電振動子、５４…圧力室、５６…ノズル、９０，１００…用紙端部検出部、９１，１０１…発光部、９１ｂ，１０１ｂ…発光部レンズ、９１ｃ，１０１ｃ…発光素子、９２，１０２…受光部、９２ｂ，１０２ｂ…受光部レンズ、９２ｃ，１０２ｃ…受光素子、９３，１２１…カバー部、９７，１２２…透明部材、１３０，１４０…摺動部、１３１，１３３，１４１，１４３…第２摺動部、１３２，１４２…第１摺動部、３００，３０２，３０３…帯電部材。
【図１】
2014148053.tif 000003
【図２】
2014148053.tif 000004
【図３】
2014148053.tif 000005
【図４】
2014148053.tif 000006
【図５】
2014148053.tif 000007
【図６】
2014148053.tif 000008
【図７】
2014148053.tif 000009
【図８】
2014148053.tif 000010
【図９】
2014148053.tif 000011
【図１０】
2014148053.tif 000012
【図１１】
2014148053.tif 000013
【図１２】
2014148053.tif 000014
【図１３】
2014148053.tif 000015
【図１４】
2014148053.tif 000016
【図１５】
2014148053.tif 000017